(57)【特許請求の範囲】
【請求項１】
駆動装置の回転モーメントを、この駆動装置に着脱自在に連結して基礎構造の材料を掘削加工するツール（１）に伝達するため、ツール（１）を前記駆動装置のツール収容部（１０）に形状ロックを生じて連結する差し込み端部（２）をツール（１）に設け、この差し込み端部（２）には作業方向に向かって円錐状に拡開する第１領域（Ｂ１）を設け、更に、作業方向に順次に配置した周方向溝を有する第２領域（Ｂ２）、作業方向に向かって円錐状に拡開する第３領域（Ｂ３）、並びに円筒形の第４領域（Ｂ４）を連続させ、また、前記差し込み端部（２）には、ツール軸線に沿って延在する少なくとも２個の溝（３）を設け、これら溝（３）を４個のすべての領域（Ｂ１，Ｂ２，Ｂ３，Ｂ４）にわたって延在させ、前記ツール収容部（１０）には作業方向に円錐状に拡開する収容開口（１３）を設け、この収容開口（１３）に突出する少なくとも１個の錠止素子（２１）並びに少なくとも２個の回転伝達体（１６）を設け、これら回転伝達体（１６）が差し込み端部（２）の前記溝（３）に相対回転不能に嵌合する回転駆動伝達装置において、前記差し込み端部（２）の第３領域（Ｂ３）及び第４領域（Ｂ４）に更に他の少なくとも１個の回転伝達溝（４）を設け、この回転伝達溝（４）にツール収容部（１０）に設けた他の回転伝達体（１７）が掛合する構成としたことを特徴とする回転駆動伝達装置。
【請求項２】
溝（３）の数に対応する数の回転伝達溝（４）を設け、周方向に見て各２個の溝（３）間に１個の回転伝達溝（４）が隣接するよう配置した請求項１記載の装置。
【請求項３】
３個の溝（３）を設けた請求項１又は２記載の装置。
【請求項４】
回転伝達溝（４）と隣接の溝（３）との間の距離（Ａ）を一定の大きさとした請求項１乃至３のうちのいずれか一項に記載の装置。
【請求項５】
前記差し込み端部（２）の周方向に見た前記回転伝達溝（４）の幅（Ｕ１）を前記溝（３）の幅（Ｕ２）の０．３〜０．８倍の寸法とした請求項１乃至４のうちのいずれか一項に記載の装置。
【請求項６】
回転伝達溝（４）の半径方向に測った深さ（Ｔ１）を前記溝（３）の深さ（Ｔ２）の０．３〜０．６倍の寸法とした請求項１乃至５のうちのいずれか一項に記載の装置。
【請求項７】
前記ツール収容部（１０）に、前記回転伝達体（１６）の数に対応する数の他の回転伝達体（１７）を設け、周方向に見て各２個の回転伝達体（１６）間に１個の他の回転伝達体（１７）が隣接する配置とした請求項１又は６のうちのいずれか一項に記載の装置。
【請求項８】
他の回転伝達体（１７）と隣接の回転伝達体（１６）の間の距離（Ａ）を一定の大きさとした請求項７記載の装置。
【請求項９】
ツール収容部（１０）の周方向に見た他の回転伝達体（１７）の幅（Ｕ３）を回転伝達体（１６）の幅（Ｕ４）の０．３〜０．８倍の寸法とした請求項７又は８に記載の装置。
【請求項１０】
半径方向に測った前記他の回転伝達体（１７）の高さ（Ｈ１）を回転伝達体（１６）の高さ（Ｈ２）の０．３〜０．６倍の寸法とした請求項７乃至９のうちのいずれか一項に記載の装置。
【発明の詳細な説明】
【０００１】
【発明の属する技術分野】
本発明は、駆動装置の回転モーメントをこの駆動装置に着脱自在に連結して基礎構造の材料を掘削加工するツールに伝達するため、ツールを前記駆動装置のツール収容部に形状ロックを生じて連結する差し込み端部をツールに設け、この差し込み端部には作業方向に向かって円錐状に拡開する第１領域を設け、更に、作業方向に順次に配置した周方向溝を有する第２領域、作業方向に向かって円錐状に拡開する第３領域、並びに円筒形の第４領域を連続させ、また、前記差し込み端部には、ツール軸線に沿って延在する少なくとも２個の溝を設け、これら溝を４個のすべての領域にわたって延在させ、前記ツール収容部には作業方向に円錐状に拡開する収容開口を設け、この収容開口に突出する少なくとも１個の錠止素子並びに少なくとも２個の回転伝達体を設け、これら回転伝達体が差し込み端部の前記溝に相対回転不能に嵌合する回転駆動伝達装置にに関するものである。
【０００２】
【従来の技術】
硬い基礎構造、例えば、コンクリート、岩石等に削孔する際に管状の支持体を有するツールを使用し、この支持体の遊端には複数個の切り刃セグメントを設ける。駆動装置にはツールを着脱自在に連結してツールを回転させる。駆動装置で生ずる回転モーメントをツールに伝達するのに回転駆動伝達装置を使用し、この回転駆動伝達装置は、駆動装置に設けるツール収容部と、このツール収容部に固定するツールの差し込み端部とにより構成する。このような装置は、例えば、ドイツ国特許第３，４３４，０７６号に記載されている。
【０００３】
このドイツ国特許に記載の装置の差し込み端部は、管状の支持体に固定し、また管状の支持体の切り刃セグメントとは反対側の遊端に設ける。差し込み端部の作業方向に向かって円錐状に拡開する第１領域には、作業方向に順次に、周方向溝を有する第２領域、作業方向に向かって円錐状に拡開する第３領域、円筒形の外側輪郭を有する第４領域を連続させて設ける。差し込み端部には、周方向に等間隔で配列した溝を設け、この溝を４個のすべての領域にわたり延在させる。
【０００４】
ツール収容部には作業方向に円錐状に拡開する収容開口を設け、この収容開口に突出するローラ状の２個の錠止素子と、収容開口に突出する３個の回転伝達体を設けている。これら錠止素子は作業方向に平行に移動自在の錠止スリーブによってほぼ半径方向に移動自在とする。
【０００５】
ツール収容部に差し込み端部を挿入する際に、ツール収容部における差し込み端部の心出しと密接なクランプが、差し込み端部及びツール収容部の収容開口の円錐状の領域により生ずる。ツール収容部の収容開口における差し込み端部の軸線方向の移動を阻止するには錠止素子によって行い、この錠止素子は錠止状態では収容開口内に突入して差し込み端部の周方向の切除部に掛合する。回転モーメントの伝達は差し込み端部の溝に形状ロック状態に掛合する回転伝達体によって生ずる。
【０００６】
【発明が解決しようとする課題】
しかし、極めて高い回転モーメントの伝達の際に回転伝達体と溝との間の面圧は極めて高くなる。このことにより、溝に連結される回転伝達体の側面が破損する恐れがある。
【０００７】
本発明の目的は、回転モーメントの伝達を良好に行い、差し込み端部の第１領域における差し込み端部とツール収容部との間の案内機能、心出し機能、クランプ機能、密着機能を維持しつつ、回転伝達を行う素子の損傷なく極めて高い回転モーメントを伝達することができる回転駆動伝達装置を得るにある。
【０００８】
【課題を解決するための手段】
この目的を達成するため、本発明は前記差し込み端部の第３領域及び第４領域に更に他の少なくとも１個の回転伝達溝を設け、この回転伝達溝にツール収容部に設けた他の回転伝達体が掛合する構成としたことを特徴とする。
【０００９】
本発明による回転伝達溝は差し込み端部の各領域に配置し、この回転伝達溝がより大きな直径になればなるほど大きな回転モーメントを伝達することができるようになる。溝の他に差し込み端部に設けた回転伝達溝は、回転モーメントを受ける差し込み端部の全体的な掛合面積を拡大する。掛合面積がより大きくなることによって面圧は少なくなる。このようにして、溝又は回転伝達溝の破損が回避される。回転伝達溝を差し込み端部の第３及び第４の領域にわたり延在させることにより、差し込み端部の円錐状に拡開する第１領域における接触面は残存し、これに対応するツール収容部の対向面による案内機能、心出し機能、密着機能も維持される。
【００１０】
本発明の好適な実施例によれば、溝の数に対応する数の回転伝達溝を設け、周方向に見て各２個の溝間に１個の回転伝達溝が隣接するよう配置する。回転伝達溝の数が増えれば増えるほど、差し込み端部の全体的な掛合面積が増大し、面圧が減少する。
【００１１】
差し込み端部に作用する回転モーメントを差し込み端部の周面にわたり均一に分布させるためには、３個の溝を設けると好適である。これら３個の溝は差し込み端部の周囲に均等に分布させるとよい。
【００１２】
ツールの差し込み端部をツール収容部に迅速に差し込むことができ、ツール収容部の対応の回転伝達体に対して溝及び回転伝達溝を整列させるのに多くの時間を費やすことなく行うことができるようにするためには、回転伝達溝と隣接の溝との間の距離を一定の大きさとすると好適である。例えば、３個の溝及び３個の回転伝達溝はそれぞれ互いに６０°の角度間隔で配置し、回転伝達溝と溝との間の角度は例えば、３０°とする。
【００１３】
差し込み端部の全体的な掛合面積をできるだけ大きくするためには、溝及び回転伝達溝は、前記差し込み端部の周方向に見た前記回転伝達溝の幅を前記溝の幅の０．３〜０．８倍の寸法とし、回転伝達溝の半径方向に測った深さを前記溝の深さの０．３〜０．６倍の寸法とすると好適である。
【００１４】
管状の支持体に連結する差し込み端部には支持体への移行部にフランジ状の拡開部を設け、例えば、この拡開部の外径は管状の支持体の外径に等しくする。
【００１５】
所定の条件の下では、回転伝達溝に符号機能も付与すると、互いに隣接する溝間の角度及び／又は溝の深さ及び／又は溝の周方向の幅を異なる大きさにするとき有利である。このような符号機能によって、例えば、異なる大きさの直径のツールを異なる出力の駆動装置に装着することができ、例えば、低駆動出力の駆動装置には小さい直径のツールを差し込むことができるようになる。
【００１６】
差し込み端部の周面全体にわたり均等に回転モーメントを伝達するためには、前記ツール収容部に、前記回転伝達体の数に対応する数の他の回転伝達体を設け、周方向に見て各２個の回転伝達体間に１個の他の回転伝達体が隣接する配置とすると好適である。
【００１７】
ツール収容部に差し込み端部の向き合わせ調整のために時間を浪費することなく、ツール収容部に差し込み端部を迅速に差し込むことができるようにするためには、他の回転伝達体と隣接の回転伝達体の間の距離を一定の大きさとすると好適である。回転伝達溝及び他の回転伝達体の均等配置により、差し込み端部は僅かな角度にわたり回転するだけで、回転伝達体と溝とを、又は他の回転伝達体と回転伝達溝とを適合させることができる。
【００１８】
ツール収容部によってできるだけ大きい回転モーメントを差し込み端部に伝達することができるようにするためには、ツール収容部の周方向に見た他の回転伝達体の幅を回転伝達体の幅の０．３〜０．８倍の寸法とし、半径方向に測った前記他の回転伝達体の高さを回転伝達体の高さの０．３〜０．６倍の寸法とすると好適である。
【００１９】
【発明の実施の形態】
次に、図面につき本発明の好適な実施の形態を説明する。
【００２０】
図１及び図２に示すツール収容部１０並びに図３及び図４に示すツール１の差し込み端部２は、完全には示さない駆動装置によって生ずる回転力を、駆動装置に着脱自在に連結することができるツール１に伝達する装置を構成する。
【００２１】
ツール収容部１０には、中心の貫通孔及び雌ねじ部１２を有するスリーブ状の基体１１を設ける。この雌ねじ部１２は基体１１の作業方向とは反対側の端部領域に設け、図示しない駆動装置の駆動軸にこのツール収容部１０を連結するのに使用する。
【００２２】
貫通孔の作業方向側の部分は、作業方向に向かってほぼ円錐状に拡開して収容開口１３をなし、差し込み端部２を収容するとともに案内する作用も行う。収容開口１３の作業方向に対向する開口部と基体１１の作業方向に対向する端部との間に回転駆動ディスク１５を固定する回転駆動領域を設ける。この回転駆動領域には複数個の窪み１９を設け、これら窪み１９を収容開口１３の最大内法の周方向領域に例えば、等間隔に分布させ、ツール収容部１０の作業方向に対向する端面側むけて開放させる。各窪み１９は回転駆動ディスク１５の１個又は複数個の舌状部２０を収容する。回転駆動ディスク１５のツール収容部１０における軸線方向の固定は固定リング１４によって行い、この固定リング１４は周方向に延在するアンダーカットに掛合させ、このアンダーカットは回転駆動領域の内側輪郭に設ける。この周方向のアンダーカットの収容開口１３の開口部から作業方向に測った距離は、回転駆動ディスク１５の厚さよりも小さい寸法とする。
【００２３】
基体１１は錠止スリーブ１８により包囲し、この錠止スリーブ１８は基体１１に対して作業方向に平行に移動自在にする。収容開口１３の領域において、ツール収容部１０には、ほぼ半径方向に移動自在であり、錠止スリーブ１８に連係動作する錠止素子２１を設け、これら錠止素子２１は基体の周方向に等間隔に分布させる。錠止スリーブ１８によって、錠止素子２１は収容開口１３に突入しない初期位置から、収容開口１３に突入する錠止位置に回動自在又は移動自在にし、この錠止位置で差し込み端部２の周方向の切除部５に形状ロックを生ずるよう連係動作する。
【００２４】
図３、及び図４に示すツール１は、上述の差し込み端部２と、管状の支持体６と、並びに図示しない複数個の切り刃素子とにより構成し、この切り刃素子は支持体６の作業方向側の遊端に設ける。差し込み端部２は作業方向に向かって円錐状に拡開する第１領域Ｂ１を設け、この第１領域Ｂ１に作業方向に順次に連続して、周方向の切除部５を有する第２領域Ｂ２、作業方向に円錐状に拡開する第３領域Ｂ３、及び円筒形領域Ｂ４を設け、また差し込み端部２にはツール軸線に沿って延在する３個の溝３を設け、これら溝３は４個の領域Ｂ１，Ｂ２，Ｂ３，Ｂ４のすべてにわたって延在させる。周方向の切除部５には、ツール収容部１０の錠止素子２１が形状ロックを生ずるよう掛合して、ツール収容部１０の収容開口１３に差し込み端部２を軸線方向に固定する。
【００２５】
差し込み端部２には、３個の溝３の他に、３個の回転伝達溝４を設け、これら回転伝達溝４を差し込み端部２の周方向に隣接の溝３に対して等しい距離Ａ又は等角度となるよう配置する。長さＬ２を有する溝３は、差し込み端部２の４個の領域Ｂ１，Ｂ２，Ｂ３，Ｂ４にわたり延在させる。長さＬ１を有する回転伝達溝４は、円錐状の第３領域Ｂ３、及びこの第３領域Ｂ３の円錐形の最大直径にほぼ等しい直径を有する円筒形の第４領域Ｂ４にわたってのみ延在させる。第４領域Ｂ４の作業方向側に更に連続する第５領域Ｂ５をフランジ状に拡開させ、この第５領域Ｂ５に直接、ツール１の管状の支持体６を連結する。このフランジ状の拡開部の直径は、管状の支持体６の直径にほぼ等しいものとする。
【００２６】
作業方向に直交する方向の断面でみて、溝３と回転伝達溝４とは異なる寸法とする。例えば、溝３に深さＴ２、幅Ｕ２を、回転伝達溝４の深さＴ１、幅Ｕ１よりも大きくする。ツール収容部１０の回転駆動領域に固定する回転駆動ディスク１５には、高さＨ２及びツール収容部１０の周方向の幅Ｕ４を有して溝３に適合する回転伝達体１６と、高さＨ１を有して回転伝達溝４に適合する他の回転伝達体１７を設け、これら回転伝達体１６，１７はツール収容部１０の収容開口１３の軸線方向の投影面から突出する。他の回転伝達体１７のツール収容部１０の周方向の幅Ｕ３は回転伝達体１６の幅Ｕ４の０．３〜０．８倍の寸法とする。
【図面の簡単な説明】
【図１】  本発明による回転駆動伝達装置を有するツール収容部の一部切除した側面図である。
【図２】  図１の矢印の方向から見たツール収容部の端面図である。
【図３】  図１のツール収容部差し込む本発明によるツールの一部切除した側面図である。
【図４】  図３のツールの差し込み端部の平面図である。
【符号の説明】
1  ツール
2  差し込み端部
3  溝
4  回転伝達溝
5  切除部
6  支持体
10  ツール収容部
11  基体
12  雌ねじ部
13  収容開口
14  固定リング
15  回転駆動ディスク
16  回転伝達体
17  回転伝達体
18  錠止スリーブ
19  窪み
20  舌状部
21  錠止素子
【図１】
0003723122.tif 000002
【図２】
0003723122.tif 000003
【図３】
0003723122.tif 000004
【図４】
0003723122.tif 000005